(57)【要約】      （修正有）【課題】端部が新しいデザイン性を有するレース編地を提供する。【解決手段】レース編地３３は、経編機により編成される経編地であり、幅方向中央の主要部４２と、主要部４２よりも幅方向外側において所定幅にわたってネット状となっているネット部４０とを備える。ここで、ネット状とは複数の透孔４１が二次元的に広がっている状態のことである。また透孔４１とは、レース編地３３をその表面に垂直な方向から見たときに、レース編地３３の向こう側が見える孔のことである。ネット部４０は、レース編地３３の幅方向の端部４３を含み、かつ、レース編地３３の幅方向の所定長さにわたっている。【選択図】図１
0003206137.tif 000002
【実用新案登録請求の範囲】
【請求項１】
経編地からなり、その幅方向の端部がカットされたネット部からなるレース編地。
【請求項２】
前記端部において前記ネット部を構成する糸同士が接着している、請求項１に記載のレース編地。
【請求項３】
幅方向の端部がスカラップ形状である請求項１又は２に記載のレース編地。
【考案の詳細な説明】
【技術分野】
【０００１】
本考案はレース編地に関する。
【背景技術】
【０００２】
レース編地において編地幅方向の端部がスカラップ形状となっているものが知られている。そのようなレース編地として、特許文献１に記載されているような、スカラップ形状の端部がピコットで縁取りされているものが広く普及している。また、特許文献２に記載されているように、スカラップ形状の部分から編地外側へ延びる房部が設けられているレース編地も知られている。
【先行技術文献】
【特許文献】
【０００３】
【特許文献１】特開平１０−２４５７５３号公報
【特許文献２】実用新案登録第３１２９４５３号公報
【考案の概要】
【考案が解決しようとする課題】
【０００４】
しかし、ピコット等の糸で縁取りされたスカラップ形状の端部や、編地外側へ延びる房部が設けられているスカラップ形状の端部は、広く知られたものとなっており、現在では使用者の目を引くほどのデザイン性を有するものでは無くなっている。
【０００５】
そこで本考案は、端部が新しいデザイン性を有するレース編地を提供することを課題とする。
【課題を解決するための手段】
【０００６】
実施形態のレース編地は、経編地からなり、その幅方向の端部がカットされたネット部からなることを特徴とする。
【考案の効果】
【０００７】
実施形態のレース編地の端部は新しいデザイン性を有する。
【図面の簡単な説明】
【０００８】
【図１】レース編地３３の右半分の平面図。
【図２】スカラップ形状を例示する図。（ａ）は波形状を示す図。（ｂ）は弧が編み方向に連続する形状を示す図。（ｃ）ジグザグ形状を示す図。
【図３】ネット部４０の組織図。（ａ）は地糸５６を示す図。（ｂ）はジャカード糸５０、５１、５２、５３を示す図。
【図４】経編地３０の平面図。
【図５】熱融着糸５５の編み込みを示す組織図。
【考案を実施するための形態】
【０００９】
本実施形態のレース編地３３の右半分の平面図を図１に示す。レース編地３３は、経編機により編成される経編地であり、幅方向中央の主要部４２と、主要部４２よりも幅方向外側において所定幅にわたってネット状となっているネット部４０とを備える。ここで、ネット状とは複数の透孔４１が二次元的に広がっている状態のことである。また透孔４１とは、レース編地３３をその表面に垂直な方向から見たときに、レース編地３３の向こう側が見える孔のことである。ネット部４０は、レース編地３３の幅方向の端部４３を含み、かつ、レース編地３３の幅方向の所定長さにわたっている。図１のネット部４０は全体にわたってほぼ均一なネット状となっている。つまり、図１のネット部４０は全体にわたって同じ編み組織からなり、柄が形成されていない。ただし、ネット部４０は、このようなネット状でなくても良く、例えば柄糸が編み込まれて柄が形成されていても良い。
【００１０】
レース編地３３の幅方向の端部４３は、ネット部４０がカットされたままの状態となっている。そのため、レース編地３３の幅方向の端部４３では、ネット部４０を構成する糸のカットされた端部が、ネット部４０の透孔４１の大きさと同等の間隔を空けながら、並んでいる。
【００１１】
さらに、レース編地３３の幅方向の端部４３は、スカラップ形状となっている。スカラップ形状とは左右に曲がりながら編み方向に延びる形状のことである。スカラップ形状には、波形状（図２（ａ））のように曲線部３５を有し角部３６を有さない形状、弧が編み方向に連続する形状（図２（ｂ））のように曲線部３５及び角部３６を有する形状、ジグザグ形状（図２（ｃ））のように曲線部３５を有さず角部３６を有する形状、等が含まれる。
【００１２】
ネット部４０の具体的な編み組織は、限定されないが、例えば図３のような編み組織である。経編機の地筬により導糸される地糸５６が、図３（ａ）に示すように同一ウェールで編み目形成した鎖編みとなっている。さらに、図３（ｂ）に示されるように、経編機のジャカード筬により導糸されるジャカード糸５０
、５１、５２、５３が、緯方向（レース編地３３の幅方向及び経編機の左右方向と同じ方向）に横渡りしながら挿入されて、鎖編みの隣接するウェール同士を所定のコースにおいて連結している。そのため、隣接するウェール同士がジャカード糸５０、５１、５２、５３により連結されていない部分ａ、ｂ、ｃが生じている。これらの部分ａ、ｂ、ｃがレース編地３３における透孔４１となっている。なお図３（ｂ）の編み組織は一例であり、ジャカード糸５０、５１、５２、５３の挿入のされ方が変われば、透孔４１の大きさや場所が変わる。また図３（ｂ）には一部のジャカード糸５０、５１、５２、５３しか描かれていないが、これらのジャカード糸５０、５１、５２、５３と同じ動きをするジャカード糸が左右に展開される。
【００１３】
さらに、ネット部４０には、弾性糸が挿入されていても良い。また、ネット部４０には、柄糸が編み込まれて、柄糸による柄が形成されていても良い。柄が形成されると、図１の場合と異なり、ネット部４０は全体にわたってほぼ均一なネット状ではなくなる。
【００１４】
ネット部４０がカットされたままの状態となっているレース編地３３の幅方向の端部４３では、ネット部４０を構成する糸同士が接着されることにより、ネット部４０のネット形状が保持されていることが望ましい。この望ましい形態において、糸同士が接着されている部分は、レース編地３３の幅方向の端部４３だけでなく、幅方向の端部４３を含む所定幅の部分であることが望ましい。
【００１５】
接着の方法は限定されないが、例えば、レース編地３３の編成時に少なくともレース編地３３の幅方向の端部４３となる部分に熱融着糸を編み込み、その後のヒートセットにより熱融着糸の少なくとも一部を融解させて、糸同士を接着する方法が採用される。熱融着糸を使用した場合、レース編地３３の幅方向の端部４３に熱融着糸の糸としての形状が残っていることもあり得るし、その形状が残っていないこともあり得る。
【００１６】
ここで熱融着糸５５とは、所定温度で所定時間加熱されると少なくともその一部が融解し、他の２以上の糸同士を接着する糸のことである。このような接着を熱融着と言う。本実施形態で用いられる熱融着糸５５は、ヒートセットにより熱融着するものであれば良い。熱融着糸５５として、例えば、１００〜１３０℃で熱融着する低融点ナイロン糸が挙げられる。
【００１７】
レース編地３３の主要部４２はレース地となっている。レース地とは、複数の透孔４１の配置、それぞれの透孔４１の形状、糸の量の疎密等により、模様が形成された編地のことである。レース地はどのようなものでも良いが、例えば、経編機の地筬により導糸される地糸が地組織を形成しており、経編機の柄筬により導糸される柄糸が柄を形成しているものとする。また、柄糸による柄に替えて、又は柄糸による柄に加えて、経編機のジャカード筬により導糸されるジャカード糸によって、穴地部分、厚地部分、薄地部分が形成され、これらの部分による柄が形成されていても良い。図１に示すように主要部４２もネット状となっていても良い。
【００１８】
以上の構造を有するレース編地３３は例えば次のように製造される。まず、シングルラッシェル機等の経編機により、図４に示す経編地３０が編成される。経編地３０には、製品部３１が経編地３０の幅方向に複数並べて設けられる。製品部３１は最終的に上記のレース編地３３となる部分である。製品部３１と製品部３１との間及び経編地３０の幅方向両側には捨て部３２が設けられている。複数の製品部３１と複数の捨て部３２とは１つの経編地３０として編成される。
【００１９】
経編地３０の編成時に、ネット部４０及び主要部４２が上記の編み組織になるよう編成される。またレース編地３３の幅方向の端部４３の接着に熱融着糸が用いられる場合は、経編地３０の編成時に、図５に例示するように、少なくとも製品部３１と捨て部３２との境界３４（図５では二点鎖線で表示されている）となる場所に熱融着糸５５が挿入等により編み込まれる。熱融着糸５５は、境界３４となる場所から製品部３１側へ一定幅の範囲に編み込まれることが望ましい。
【００２０】
編成された経編地３０に対し、染色及びヒートセットが行われる。経編地３０に熱融着糸が編み込まれている場合は、ヒートセットの際のヒートセット温度及びその温度での保持時間は、熱融着糸が熱融着する温度及び時間が考慮されて決定される。その温度及び時間でのヒートセットにより、熱融着糸が融解して、糸同士が接着される。
【００２１】
ヒートセットの後、製品部３１と捨て部３２との境界３４に沿って経編地３０がカットされ、捨て部３２が除去される。捨て部３２が除去された後の製品部３１が、上記のレース編地３３である。
【００２２】
このレース編地３３は、ショーツやブラジャー等の下着、アウター、その他の様々な衣料の一部として、縫製等の手段により取り付けられる。
【００２３】
本実施形態の効果は次の通りである。まず、本実施形態のレース編地３３は、その幅方向の端部４３がスカラップ形状でかつネット部４０がカットされたままの状態であるため、新しいデザイン性を有する。また、レース編地３３は、その幅方向の端部４３においてネット部４０を構成する糸同士が接着されているため、端部４３からのほつれが生じにくい。また、スカラップ形状が波形状であれば、見た目が美しく、さらに、経編地３０における製品部３１と捨て部３２との境界３４が滑らかであるため製造時に境界３４に沿ってカットし易い。また、ネット部４０が所定幅にわたっており、その全体がほぼ均一なネット状であれば、レース編地３３が特に斬新なデザイン性を有するものとなる。
【００２４】
以上の実施形態は例示であり、発明の範囲はこれに限定されない。以上の実施形態に対して、発明の要旨を逸脱しない範囲で、様々な変更、置換、省略等を行うことができる。
【００２５】
例えば、レース編地は、少なくともその幅方向の端部の一部が、スカラップ形状でかつカットされたネット部であれば良い。例えば、レース編地の幅方向一方側の端部の全体、又は、レース編地の幅方向両側の端部のそれぞれ一部、又は、レース編地の幅方向一方側の端部の一部が、スカラップ形状でかつカットされたネット部であり、それ以外の部分は別の形態であっても良い。もちろん、レース編地の幅方向両側の端部の全体が、スカラップ形状でかつカットされたネット部であっても良い。
【００２６】
また、上記の通り、ネット部４０の編み組織は上記実施形態のものに限定されない。例えば、１本の地糸が１つのウェールでのみ編み目形成されたものではなく、１本の地糸が、１つのウェールで複数コース連続して編み目形成した後、隣のウェールへ移行し、移行先のウェールで複数コース連続して編み目形成した後、元のウェールへ戻る、ということを繰り返していても良い。この場合もジャカード糸の挿入され方によって任意の大きさの透孔が形成される。
【００２７】
また、レース編地の幅方向の端部は、スカラップ形状以外の形状であっても良く、例えば直線状であっても良い。幅方向の端部がスカラップ形状以外の形状である場合も、その端部が、カットされたネット部からなることにより、新しいデザイン性を有するものとなる。この場合において、上記実施形態と同じく、幅方向の端部においてネット部を構成する糸同士が接着していることが望ましい。
【符号の説明】
【００２８】
３０…経編地、３１…製品部、３２…捨て部、３３…レース編地、３４…境界、３５…曲線部、３６…角部、４０…ネット部、４１…透孔、４２…主要部、４３…端部、５０、５１、５２、５３…ジャカード糸、５５…熱融着糸、５６…地糸
【図２】
0003206137.tif 000003
【図３】
0003206137.tif 000004
【図５】
0003206137.tif 000005
【図１】
0003206137.tif 000006
【図４】
0003206137.tif 000007